(57)【要約】      （修正有）【課題】子供や老弱者が手を背中の後ろにすることなく、簡便にエプロンの紐を締結することができ、さらに使用者の体に合わせて紐の長さを調節できるエプロンを提供し、また、コストを節減し、商業性を高めることができるエプロンを提供する。【解決手段】締結が簡便な紐を備えたエプロン１であって、肩紐１０は、上記エプロンの両肩部にそれぞれ付着された２つの紐で構成され、上記２つの紐で構成された上記肩紐には、一側の紐を他側の紐に締結できる肩紐締結装置が形成され、上記肩紐締結装置は、一側の紐に形成された締結溝２２と、他側の紐に形成された楔形状の締結具２１とで構成され、腰紐２０は、上記エプロンの両腰部に長さを異にして付着された２つの紐で構成される。【選択図】図２
0003168050.tif 000002
【実用新案登録請求の範囲】
【請求項１】
締結が簡便な紐を備えたエプロン１において、
肩紐１０は、上記エプロン１の両肩部にそれぞれ付着された２つの紐で構成され、上記２つの紐で構成された上記肩紐１０には、一側の紐を他側の紐に締結できる肩紐締結装置３１が形成され、上記肩紐締結装置３１は、一側の紐に形成された締結溝１２と、他側の紐に形成された楔形状の締結具１１とで構成され、腰紐２０は、上記エプロン１の両腰部に長さを異にして付着された２つの紐で構成されることを特徴とする、締結が簡便な紐を備えたエプロン。
【請求項２】
締結が簡便な紐を備えたエプロン１において、
切開部１３と切取線１４が形成された肩紐１０は、頭を通して首にかけることができるように一体型として形成され、腰紐２０は、上記エプロン１の両腰部に長さを異にして付着された２つの紐で構成されることを特徴とする、締結が簡便な紐を備えたエプロン。
【請求項３】
上記２つの紐で構成された上記腰紐２０には、一側の紐を他側の紐に締結できる締結装置３０が形成され、上記締結装置３０は、一側の紐に形成された締結溝２２と、他側の紐に形成された楔形状の締結具２１とで構成されることを特徴とする、請求項１または請求項２に記載の締結が簡便な紐を備えたエプロン。
【請求項４】
上記腰紐２０は、エプロン１に両側端及び下端周縁に切取線によって一体に形成されることを特徴とする、請求項１または請求項２に記載の締結が簡便な紐を備えたエプロン。
【考案の詳細な説明】
【技術分野】
【０００１】
本考案は、肩紐及び腰紐を、それぞれ長さを異にする２つの紐で構成することで、締結を簡便にしたエプロンに関する。
【背景技術】
【０００２】
エプロンは、体の前部を覆うスカートを言い、主に食事の時や台所仕事をする時に多く用いられ、その他各種の作業時に服が汚れることを防止するためによく用いられる。
【０００３】
エプロンは、体の前部を覆うために両肩にかけられる肩紐と、腰に巻きつけてエプロンを固定させるための腰紐とを備えている。
【０００４】
肩紐は、通常、エプロンの両肩部に紐を１つずつ付着し、これを首の後ろで結ぶようにし、また、腰紐のエプロンの両腰部に紐を１つずつ付着し、これを腰の後ろで結ぶように構成される。
【０００５】
しかし、上記のように紐を首や腰の後ろで結ぶことは、人体の構造上非常に不便で、特に子供や老弱者は、このような不便さのため保護者がエプロンを着せなければならない。
【０００６】
肩紐の場合、肩部にかけることができるように予め固定された形態で製作されることもあり、予め固定された形態で製作される場合は、上記のような不便さは解消できるものの、体に合うように肩紐の長さを調節することができないという不便があった。  
【考案の概要】
【考案が解決しようとする課題】
【０００７】
本考案は、上記問題を解決するために案出されたものであって、本考案による締結が簡便な紐を備えたエプロンは、肩紐と腰紐とを、それぞれ長さを異にする２つの紐で構成した締結装置を形成することで、子供や老弱者が手を背中の後ろにすることなく、簡便にエプロンの紐を締結することができ、さらに使用者の体に合わせて紐の長さが調節できるエプロンを提供することができ、また、肩紐と腰紐とをエプロンと一体に形成し、かつ切取線によって容易にエプロンから分離して使用することを可能にすることにより、コストを節減し、商業性を高めることができるエプロンを提供することを目的とする。
【課題を解決するための手段】
【０００８】
上記課題を解決するために、本考案による締結が簡便な紐を備えたエプロン１の肩紐１０は、上記エプロン１の両肩部に付着された紐で構成され、腰紐２０は、上記エプロン１の両腰部に長さを異にして付着された２つの紐で構成されることを特徴とする。
【０００９】
上記肩紐１０は、上記エプロン１の両肩部にそれぞれ付着された２つの紐で構成され、一側の紐を他側の紐に締結できる肩紐締結装置３１が形成され、上記肩紐締結装置３１は、一側の紐に形成された締結溝１２と、他側の紐に形成された楔形状の締結具１１とで構成されるか、またはベルクロテープあるいはスナップボタンで構成される。上記肩紐１０は、頭を通して首にかけることができるように一体型として形成可能である。
【００１０】
上記２つの紐で構成された上記腰紐２０は、一側の紐を他側の紐に締結できる腰紐締結装置３０が形成され、上記腰紐締結装置３０は、一側の紐に形成された締結溝２２と、他側の紐に形成された楔形状の締結具２１とで構成されるか、またはベルクロテープあるいはスナップボタンで構成される。
【００１１】
上記腰紐２０は、エプロン１に両側端及び下端周縁に一体に形成されることができ、切取線を形成して使用者が腰紐２０をエプロン１の両側端及び下端から容易に分離できるようにする。
【００１２】
上記エプロン１は、紙、不織布、合成樹脂、織物からなる群より選択された一つの材料で形成される。
【考案の効果】
【００１３】
本考案による締結が簡便な紐を備えたエプロンは、肩紐と腰紐とをそれぞれ長さを異にする２つの紐で構成された締結装置を形成することで、子供や老弱者が手を背中の後ろにすることなく、容易にエプロンの紐を締結することができ、さらに体に合うように紐の長さが調節できるエプロンを提供し、また、肩紐と腰紐とをエプロンと一体に形成し、かつ切取線によって容易にエプロンから分離して使用可能にすることにより、コストを節減し、商業性を高めることができるエプロンが提供できる。
【図面の簡単な説明】
【００１４】
【図１】従来のエプロン１を示す平面図である。
【図２】第１実施例による締結が簡便な紐を備えたエプロン１を示す平面図である。
【図３】第２実施例による締結が簡便な紐を備えたエプロンを示す平面図である。
【図４】第３実施例による締結が簡便な紐を備えたエプロンを示す平面図である。
【図５】第４実施例による締結が簡便な紐を備えたエプロンを示す平面図である。
【図６】第１実施例による締結が簡便な紐を備えたエプロン１において、肩紐の締結具１１と締結溝１２とからなる肩紐締結装置３１及び腰紐の締結具２１と締結溝２２とからなる腰紐締結装置３０がいずれも締結された状態を示す図である。
【図７】第３実施例による締結が簡便な紐を備えたエプロン１において、腰紐の締結具２１と締結溝２２とからなる腰紐締結装置３０が締結された状態を示す図である。
【考案を実施するための形態】
【００１５】
以下、本考案の望ましい実施例について、添付した図面を参照してより詳細に説明する。なお、各図面の構成要素に付与された符号については、同一性のある構成要素に対してなるべく同一符号を与えており、本考案を説明するにおいて、関連した公知構成または機能に関する具体的な説明が本考案の要旨を濁らせ得ると判断される場合には、その詳細な説明を省略した。以下の説明は、本考案の理解のための一例であるだけで、本考案の技術的思想は、これに限定されるものでも、また制限されるものでもなく、当業者により変形されて多様に実施できるものであるのは勿論である。
【実施例】
【００１６】
［第１実施例］
図２を参照すれば、本考案による締結が簡便な紐を備えたエプロン１の肩紐１０は、上記エプロン１の両肩部に長さを異にして付着された２つの紐で構成され、また、腰紐２０は、上記エプロン１の両腰部に長さを異にして付着された２つの紐で構成される。上記肩紐１０及び上記腰紐２０は、縫製して付着した。
【００１７】
上記２つの紐で構成された上記肩紐１０には、一側の紐を他側の紐に締結できる肩紐締結装置３１が形成され、上記肩紐締結装置３１は、一側の紐に形成された締結溝１２と、他側の紐に形成された楔形状の締結具１１とで構成した。楔形状の締結具１１を締結溝１２に嵌め入れることによって容易に結合が可能であり、さらに使用者の体に合うように肩紐１０を調節することができる。エプロン１を脱ぐ時も、容易に締結溝１２が形成された肩紐１０を、締結方向と反対の方向に引っ張ることによって容易にエプロン１を脱ぐことができる。
【００１８】
上記２つの紐で構成された上記腰紐２０には、一側の紐を他側の紐に締結できる腰紐締結装置３０が形成され、上記腰紐締結装置３０は、一側の紐に形成された締結溝２２と、他側の紐に形成された楔形状の締結具２１とで構成した。楔形状の締結具２１を締結溝２２に嵌め入れることによって容易に結合が可能であり、さらに使用者の体に合うように腰紐２０を調節することができる。エプロン１を脱ぐ時も、締結溝２２が形成された腰紐２０を締結方向と反対の方向に引っ張ることによって容易にエプロン１を脱ぐことができる。
本実施例では、不織布でエプロン１を製作しており、肩紐１０及び腰紐２０も同一の材質の不織布で製作した。
【００１９】
［第２実施例］
図３を参照すれば、本考案による締結が簡便な紐を備えたエプロン１の上記肩紐１０は、頭を通して首にかけることができるように一体型として形成され、また、腰紐２０は、上記エプロン１の両腰部に長さを異にして付着された２つの紐で構成される。上記肩紐１０は、エプロンと一体型に製作されており、上記腰紐２０は、縫製して付着した。
【００２０】
上記肩紐１０は、首の前部が位置する所に切開部１３が形成され、頭の大きさや首の太さに関係なく着用できるようにしており、また、首が位置する両測後方には、切取線１４が形成され、使用後にエプロンを前方に引っ張れば、容易に除去可能にした。
【００２１】
上記２つの紐で構成された上記腰紐２０には、一側の紐を他側の紐に締結できる腰紐締結装置３０が形成され、上記腰紐締結装置３０は、一側の紐に形成された締結溝２２と、他側の紐に形成された楔形状の締結具２１とで構成した。楔形状の締結具２１を締結溝２２に嵌め入れることによって容易に結合が可能であり、さらに使用者の体に合うように腰紐２０を調節することができる。エプロン１を脱ぐ時も、締結溝２２が形成された腰紐２０を締結方向と反対の方向に引っ張ることによって容易にエプロン１を脱ぐことができる。
本実施例では、不織布でエプロン１を製作しており、肩紐１０及び腰紐２０も同一の材質の不織布で製作した。
【００２２】
［第３実施例］
図４を参照すれば、本実施例では、第２実施例でのように肩紐１０を形成し、腰紐２０はエプロン１の両側端及び下端周縁に一体に形成され、切取線によって使用者が容易に分離して使用することができる。
【００２３】
［第４実施例］
図５を参照すれば、本実施例では、第１実施例と同様に肩紐１０を形成し、締結溝２２の形成された腰紐２０は、エプロン１の腰部に縫製などの方式で結合し、また、締結具２１の形成された腰紐２０は、エプロン１の両側端及び下端周縁に一体に形成され、切取線によって使用者が容易に分離して使用することができる。
【産業上の利用可能性】
【００２４】
本考案は、肩紐及び腰紐を、それぞれ長さを異にする２つの紐で構成することで、締結を簡便にしたエプロンに適用可能である。
【符号の説明】
【００２５】
１    エプロン
１０    肩紐
１１    肩紐締結具
１２    肩紐締結溝
１３    切開部
１４    切取線
２０    腰紐
２１    腰紐締結具
２２    腰紐締結溝
３０    腰紐締結装置
３１    肩紐締結装置
【図１】
0003168050.tif 000003
【図２】
0003168050.tif 000004
【図３】
0003168050.tif 000005
【図４】
0003168050.tif 000006
【図５】
0003168050.tif 000007
【図６】
0003168050.tif 000008
【図７】
0003168050.tif 000009
【手続補正書】
【提出日】平成23年3月18日(2011.3.18)
【手続補正１】
【補正対象書類名】実用新案登録請求の範囲
【補正対象項目名】全文
【補正方法】変更
【補正の内容】
【実用新案登録請求の範囲】
【請求項１】
締結が簡便な紐を備えたエプロン１において、
肩紐１０は、上記エプロン１の両肩部にそれぞれ付着された２つの紐で構成され、上記２つの紐で構成された上記肩紐１０には、一側の紐を他側の紐に締結できる肩紐締結装置３１が形成され、上記肩紐締結装置３１は、一側の紐に形成された締結溝１２と、他側の紐に形成された楔形状の締結具１１とで構成され、腰紐２０は、上記エプロン１の両腰部に長さを異にして付着された２つの紐で構成されることを特徴とする、締結が簡便な紐を備えたエプロン。
【請求項２】
上記２つの紐で構成された上記腰紐２０には、一側の紐を他側の紐に締結できる締結装置３０が形成され、上記締結装置３０は、一側の紐に形成された締結溝２２と、他側の紐に形成された楔形状の締結具２１とで構成されることを特徴とする、請求項１に記載の締結が簡便な紐を備えたエプロン。
【請求項３】
上記腰紐２０は、エプロン１に両側端及び下端周縁に切取線によって一体に形成されることを特徴とする、請求項１に記載の締結が簡便な紐を備えたエプロン。